(57)【要約】      （修正有）【課題】容器に収納した液体の変質しにくく、円滑かつ敏捷に作動し、安定した動作の得られる噴霧装置を提供する。【解決手段】液体を噴出するノズルと、該ノズルの一端から下方に延伸する接続管１１１とを具える押し圧部１と、該接続管に挿設される押し圧管２と、外周面に接触部３１を形成し、内部に該押し圧管を挿入する内径空間が形成された密封部３と、該押し圧管の外周面に嵌設する弾性体４と、一端を該押し圧管内に嵌挿する挿入部５１とする。該挿入部を該押し圧管の下端に嵌挿し、外周面には液体を通過させるガイド溝５２を軸方向に複数形成した連動桿５と、端に該連動桿の一端を挿入する挿入孔を形成し、他端には該連動桿の一端に密接する接触部を形成したピストンブロック６と、内部に上シリンダ室７１と下シリンダ室７２とを形成してなり、一端に通路口が形成されたシリンダ部と、該下シリンダ室内に上下方向へ移動自在に設けた弁体８とによってなる。【選択図】図１
0003170564.tif 000002
【実用新案登録請求の範囲】
【請求項１】
液体を収納した容器の開口部に設けて該容器内の液体を噴霧する噴霧装置であって、
液体を噴出するノズルと、該ノズルの一端から下方に延伸する接続管とを具える押し圧部と、
隔壁で内部空間が上部空間と下部空間とに仕切られた管体であって、上部の開口部の外周にフランジが一体に形成され、かつ該開口部から該上部空間に該接続管を挿設する押し圧管と、
外周面に第１当接部を有し、内部に該押し圧管を挿入する内径空間を有する筒状の部材であって、該内径空間には内周面が内方にせり出してなるばね支持部が一体に形成された密封部と、
該押し圧管の外周面に嵌設し、一端が該押し圧管の該フランジに当接し、他端が該密封部の該ばね支持部に当接して、上方から押圧されて圧縮すると、付勢力で該押し圧管と該押し圧部とを上方に押し上げる弾性体と、
一端を該押し圧管内に嵌挿する挿入部とし、該挿入部を該押し圧管の下端に挿入し、外周面には液体を通過させるガイド溝を軸方向に沿って複数有し、かつ他端の外周面にフランジ状のストッパー部を一体に有する連動桿と、
該連動桿が貫通する貫通孔と、該連動桿の一端に設けられるストッパー部に密接する接触部を有し、該接触部と,該ストッパー部が空気圧の状態によって離合するように構成されるピストンブロックと、
内径が下方に向かって徐々に縮減した形状の管体であって、内壁には該密封部の該第１当接部に対応する第２当接部を有し、かつ上端開口部から該連動桿の下端部と、該ピストンブロックと．該密封部の下端部と、該押し圧管の下端部とを挿入するとともに、連動桿下方には内径の大きい上シリンダ室と、内径の小さい下シリンダ室とを有し、該下シリンダ室は内径が下方に向かって縮減して下端に通路口を有するシリンダ部と、
該シリンダ部の該下シリンダ室内に上下方向へ移動自在に設けられ、該シリンダ部の該通路口を閉塞、もしくは開放する弁体と、
該押し圧部と、該押し圧管と、該密封部と、該弾性体と、該連動桿と、該ピストンブロックと、該シリンダ部と、該弁体８とを組み立ててなる噴霧装置を、容器に固定するねじ込み式キャップとを具えてなることを特徴とする噴霧装置。
【請求項２】
前記ねじ込み式キャップの内周面にねじ山を有することを特徴とする請求項１に記載の噴霧装置。
【請求項３】
前記連動桿のストッパー部は扁平状を呈することを特徴とする請求項１に記載の噴霧装置。
【請求項４】
前記シリンダ部の前記通路口を形成する一端に接続部を一体に形成することを特徴とする請求項１に記載の噴霧装置。
【請求項５】
前記接続部に、一端が容器内を下方に延伸する吸入管を接続することを特徴とする請求項４に記載の噴霧装置。
【請求項６】
前記弁体は球体であることを特徴とする請求項１に記載の噴霧装置。
【請求項７】
前記弁体の上端に通過孔を設けて第１端部とし、かつ下端に前記下シリンダ室の前記通路口を閉塞する閉塞部を設けて第２端部とし、該第１端部と該第２端部との間には弾性を有する螺旋状部を一体に設けることを特徴とする請求項１に記載の噴霧装置。
【請求項８】
前記連動桿の前記ストッパー部と、前記ピストンブロックの接触部とは互いに離れた状態において隙間を有することを特徴とする請求項１に記載の噴霧装置。
【考案の詳細な説明】
【技術分野】
【０００１】
この考案は噴霧装置に関し、特に液体を噴霧するノズル及び該ノズルを具えた噴霧装置に関する。
【背景技術】
【０００２】
図７に、従来の技術による噴霧装置１００を開示する。図面によれば、噴霧装置１００は、ノズル１０１ａを具えるスプレーヘッド１０１と、該スプレーヘッド１０１の一端に嵌挿する接続筒体１０２と、一端が接続筒体を貫通してノズル１０１ａに接続する吸引管１０３と、吸引管１０３の他端に接続する中空の円錐体１０４と、円錐体１０４の底面側に挿入する管体であって、該管孔部外周面の対向する位置にそれぞれ孔部１０５ａを穿設し、かつ円錐体１０４の底面側に挿入した状態においてそれぞれ孔部１０５ａが円錐体１０４によって遮蔽されるベース管１０５と、一端がベース管１０５の下端に接続し、他端に金属ボール１０７を嵌着した弾性体１０６と、吸引管１０３の円錐体１０４が接続する一端から円錐体１０４、ベース管１０５、弾性体１０６及び金属ボール１０７に至る部分を収納する収納管１０８と、及び収納管１０８の底端に接続する吸入管１０９とを具えてなる。
【０００３】
上述する構造の噴霧装置は、乳液、もしくは香水などの液体を収納した容器に設ける。使用する場合は、スプレーヘッド１０１を押し圧すると、容器内の空気が急速にスプレーヘッド１０１のノズル１０１ａに向かって移動し、かつサイフォンの原理によって容器内の液体が空気とともに吸入管を経て収納管１０８に至る。ベース管１０５の一端が金属ボール１０７を押し圧し、収納管１０８の下端の開口部を閉塞する。また、ベース管１０５と円錐体１０４との間に隙間が発生して、収納管１０８内の液体が、ベース管１０５の外周面に穿設した孔部１０５aを経てベース管１０５内に至り、さらに吸引管１０３に進入して空気とともにスプレーヘッド１０１のノズル１０１ａから噴霧される。
【０００４】
次いで、スプレーヘッドへの押し圧を解除すると、収納管１０８内に残留した液体が容器内に戻る。
【０００５】
上述する構造を具える従来の噴霧装置は、容器内に収納した乳液、もしくは香水などの液体を噴霧する効果が得られる。但し、ベース管１０５の外周面に液体の通過する孔部１０５ａを具える。よって、プラスチック材で射出成型する場合、孔部１０５aの位置にバリが容易に発生するのみならず、孔部１０５aの位置から容易に破損する。
【０００６】
さらに、弾性体１０６と、金属ボール１０７とが金属材によってなる。金属材が収納管１０８内において長期間液体と接触した場合、液体に化学変化が容易に発生し、液体の変質を招くことになる。変質した液体は、使用者に傷害を与える。
【０００７】
また、従来の噴霧装置１００は、部品の点数が多く、組み立てが複雑であって、噴霧装置の構成をモジュール化するのも難しく、部品の点数を減少させて、部品のストックを低減させることができず、さらには噴霧装置１００を応用できる範囲も限られている。これらの欠点について、改善が望まれている。
【考案の概要】
【考案が解決しようとする課題】
【０００８】
この考案は、製造が容易で、且つ歩留まりが高く、使用上の応用範囲の広い噴霧装置を提供することを課題とする。
【０００９】
また、この考案は、容器に収納した液体の変質しにくい噴霧装置を提供することを課題とする。
【００１０】
また、この考案は円滑かつ敏捷に作動するとともに、動作の安定性の得られる噴霧装置を提供することを課題とする。
【課題を解決するための手段】
【００１１】
そこで本考案者は従来の技術に鑑み鋭意研究を重ねた結果、液体を噴出するノズルと、該ノズルの一端から下方に延伸する接続管とを具える押し圧部と、該接続管に挿設される押し圧管と、外周面に第１当接部３１を形成し、内部に該押し圧管を挿入する内径空間が形成された密封部と、該押し圧管の外周面に嵌設する弾性体と、一端を該押し圧管内に嵌挿する挿入部とし、該挿入部を該押し圧管の下端に嵌挿し、外周面には液体を通過させるガイド溝を軸方向に複数形成した連動桿と、端に該連動桿の一端を挿入する挿入孔を形成し、他端には該連動桿の一端に密接する接触部を形成したピストンブロックと、内部に上シリンダ室と下シリンダ室とを形成してなり、一端に通路口が形成されたシリンダ部と、該下シリンダ室内に上下方向へ移動自在に設けた弁体とによってなりねじ込み式キャップ液体を収納した容器に固定する噴霧装置の構造によって課題を解決できる点に着眼し、かかる知見に基づいて本考案を完成させた。
【００１２】
以下、この考案について具体的に説明する。
請求項１に記載する噴霧装置は、液液体を収納した容器の開口部に設けて該容器内の液体を噴霧する噴霧装置であって、
液体を噴出するノズルと、該ノズルの一端から下方に延伸する接続管とを具える押し圧部と、
隔壁で内部空間が上部空間と下部空間とに仕切られた管体であって、上部の開口部の外周にフランジが一体に形成され、かつ該開口部から該上部空間に該接続管を挿設する押し圧管と、
外周面に第１当接部を形成し、内部に該押し圧管を挿入する内径空間が形成された筒状の部材であって、該内径空間には内周面がせり出してばね支持部が一体に形成された密封部と、
該押し圧管の外周面に嵌設し、一端が該押し圧管の該フランジに当接し、他端が該密封部の該ばね支持部に当接して、上方から押し圧されて圧縮すると、付勢力で該押し圧管と該押し圧部とを上方に押し上げる弾性体と、
一端を該押し圧管内に嵌挿する挿入部とし、該挿入部を該押し圧管の下端に挿入し、外周面には液体を通過させるガイド溝を軸方向に沿って複数形成し、かつ他端の外周面にフランジ状のストッパー部を一体に形成した連動桿と、
該連動桿が貫通する貫通孔を形成した筒状に掲載され、摺動自在に該連動桿の一端に設け。かつ下端には該連動桿のストッパー部に密接する接触部を形成して該接触部と,該ストッパー部が空気圧の状態によって離合するように構成したピストンブロックと、
内径が下方に向かって徐々に縮減した形状の管体であって、内壁には該密封部の該第１当接部に対応する第２当接部を形成し、かつ上端開口部から該連動桿の下端部と、該ピストンブロックと．該密封部の下端部と、及び該押し圧管の下端部とを挿入するとともに、連動桿下方には内径の大きい上シリンダ室と、内径の小さい下シリンダ室とを形成し、該下シリンダ室は内径が下方に向かって縮減して下端に通路口を形成するシリンダ部と、
該シリンダ部の該下シリンダ室内に上下方向へ移動自在に設けられ、該シリンダ部の該通路口を閉塞、もしくは開放する弁体と、
該押し圧部と、該押し圧管と、該密封部と、該弾性体と、該連動桿と、該ピストンブロックと、該シリンダ部と、該弁体８とを組み立ててなる噴霧装置を容器に固定するねじ込み式キャップとを具えてなる。
【００１３】
請求項２に記載する噴霧装置は、請求項１におけるねじ込み式キャップの内周面にねじ山を形成する。
【００１４】
請求項３に記載する噴霧装置は、請求項１における連動桿のストッパー部が扁平状を呈する。
【００１５】
請求項４に記載する噴霧装置は、請求項１におけるシリンダ部の前記通路口を形成する一端に接続部を一体に形成する。
【００１６】
請求項５に記載する噴霧装置は、請求項４における接続部に、一端が容器内を下方に延伸する吸入管を接続する。
【００１７】
請求項６に記載する噴霧装置は、請求項１における弁体が球体である。
【００１８】
請求項７に記載する噴霧装置は、請求項１における弁体の上端に通過孔を形成し第１端部とし、かつ下端に前記下シリンダ室の前記通路口を閉塞する閉塞部を設けて第２端部とし、該第１端部と該第２端部との間には弾性を有する螺旋状部を一体に設ける。
【００１９】
請求項８に記載する噴霧装置は、請求項１における連動桿の前記ストッパー部と、前記ピストンブロックの接触部とが互いに離れた状態において隙間が形成されように構成する。
【図面の簡単な説明】
【００２０】
【図１】この考案による噴霧装置を分解した状態を示した説明図である。
【図２】図１に開示する噴霧装置の構造を示した断面図である。
【図３】他の実施の形態による噴霧装置を分解した状態」を示した説明図である。
【図４】図３に開示する噴霧装置の構造を示した断面図である。
【図５】図１、２に開示する噴霧装置の噴霧の動作を示した説明図である。
【図６】図１、２に開示する噴霧装置において噴霧を解除した場合の装置の動作を示した説明図である。
【図７】従来の技術による噴霧装置を分解した状態を示した説明図である。
【実施例】
【００２１】
この考案は,  容器に収納した液体の変質しにくく、円滑かつ敏捷に作動し、安定した動作の得られる噴霧装置を提供するものであって、液体を噴出するノズルと、該ノズルの一端から下方に延伸する接続管とを具える押し圧部と、該接続管に挿設される押し圧管と、外周面に第１当接部３１を形成し、内部に該押し圧管を挿入する内径空間が形成された密封部と、該押し圧管の外周面に嵌設する弾性体と、一端を該押し圧管内に嵌挿する挿入部とし、該挿入部を該押し圧管の下端に嵌挿し、外周面には液体を通過させるガイド溝を軸方向に複数形成した連動桿と、端に該連動桿の一端を挿入する挿入孔を形成し、他端には該連動桿の一端に密接する接触部を形成したピストンブロックと、内部に上シリンダ室と下シリンダ室とを形成してなり、一端に通路口が形成されたシリンダ部と、該下シリンダ室内に上下方向へ移動自在に設けた弁体とによってなりねじ込み式キャップ液体を収納した容器に固定する。
【００２２】
かかる噴霧装置の構造と特徴を説明するために、具体的な実施例を挙げ、図面を参照して以下に詳述する。
【００２３】
図１、２に、この考案による噴霧装置１０を開示する。噴霧装置１０は、図２に開示するように、容器２０の開口部に設けて使用する。容器２０内には、例えば乳液、香水などの液体３０を収納し、噴霧装置１０を操作して容器２０内に収納した液体３０を噴霧する。
【００２４】
噴霧装置１０は、押し圧部１と、押し圧管２と、密封部３と、弾性体４と、連動桿５と、ピストンブロック６と、シリンダ部７と、弁体８と、ねじ込み式キャップ９とを具えてなる。
【００２５】
押し圧部1は、液体を噴出するノズル１１と、ノズル１１の一端から下方に延伸する接続管１１１とを具える。
【００２６】
押し圧管２は、隔壁で内部空間が上部空間と下部空間とに仕切られた管体であって、上部の開口部２１の外周にフランジ２２が一体に形成され、かつ開口部２１から該上部空間に接続管１１１を挿設する。
【００２７】
密封部３は、内径空間３２が形成された筒状の部材であって、内径空間３２に押し圧管２を挿入する。また、内径空間３２内には内周面がせり出してばね支持部３３が一体に形成され、かつ外周面に第１当接部３１を形成する。
【００２８】
弾性体４は押し圧管２の外周面に嵌設し、一端が押し圧管２のフランジ２２に当接し、他端が密封部３のばね支持部３３に当接して、上方から押し圧されて圧縮すると、付勢力で押し圧管２と押し圧部１とを上方に押し上げる。
【００２９】
連動桿５は、一端を押し圧管２内に嵌挿する挿入部５１とし、挿入部５１を押し圧管２の下端に挿入することによって、押し圧管２に連動して上下に移動する。外周面には液体を通過させるガイド溝５２を軸方向に沿って複数形成する。また、他端の外周面にフランジ状でかつ扁平状のストッパー部５３を一体に形成する。
【００３０】
ピストンブロック６は、連動桿５が貫通する貫通孔６１を形成した筒状に形成され、摺動自在に連動桿５の一端に設け、かつ下端には連動桿５のストッパー部５３に密接する接触部６２を形成する。接触部６２とストッパー部５３とは、空気圧の状態によって離合し、図５に開示するように互いに離れた状態において隙間６３が形成される。容器２０内の液体は隙間６３を通過して連動桿５のガイド溝５２に至り、さらに押し圧部１のノズル１１から噴霧される。
【００３１】
シリンダ部７は、内径が下方に向かって徐々に縮減した形状の管体であって、内壁には密封部３の第１当接部３１に対応する第２当接部７１１を形成し、図２に開示するように上端開口部から連動桿５の下端部と、ピストンブロック６と．密封部３の下端部と、及び押し圧管２の下端部とを挿入する。この状態において連動桿５下方には
内径の大きい上シリンダ室７１と、内径の小さい下シリンダ室７２とが形成され、下シリンダ室７２は内径が下方に向かって縮減して下端に通路口７２１が形成され、さらに通路口７２１を形成する一端に接続部７２２を一体に形成する。接続部７２２には、一端が容器３０内を下方に延伸する吸入管７２３を接続する。
【００３２】
弁体８は、上端に通過孔８１１を形成し第１端部８１とし、下端に下シリンダ室７２の通路口７２１を閉塞する閉塞部８２１を設けて第２端部８２とし、第１端部８１と第２端部８２との間には弾性を有する螺旋状部８３を一体に設けてなり、シリンダ部７の下シリンダ室７２内に上下方向へ移動自在に設ける。図５、６に開示するように、弁体８が上方に移動すると下シリンダ室７２の通路口７２１が開き、下方に移動すると、通路口７２１が遮蔽される。
【００３３】
弁体８は、第１端部８１と第２端部８２と螺旋状部８３とを具える形態に限定しない。例えば図３、４に開示するように球体を用いてもよい。
【００３４】
ねじ込み式キャップ９は、内周面に螺刻したキャップ状の蓋体であって、ねじ山９１を内周面に具える。上述する押し圧部１と、押し圧管２と、密封部３と、弾性体４と、連動桿５と、ピストンブロック６と、シリンダ部７と、弁体８とを組み立て、容器２０の開口部に挿入し、ねじ込み式キャップ９で固定する。
【００３５】
以上の構成による噴霧装置１０は、容器２０に収納した液体３０と金属材とが直接接触しないため、液体３０が変質しにくい。また、弁体８が螺旋状部８３を有する形態の場合は、弁体８が迅速に下降して通路口７２１を閉塞する。よって、噴霧装置１０が敏捷な動作を行うことができ、かつ装置の動作の好ましい安定性が得られ、消費者にとって便利である。また、噴霧装置１０は容易にモジュール化することができ、任意の容器と組み合わせることができる。このため、噴霧装置１０を広い範囲に応用することができ、在庫を低減させることができるため、業者にとっても便利である。
【００３６】
図５に開示するように、押し圧部１を押し圧すると、押し圧管２と連動桿５とが圧力を受けて下方に移動する。同時にシリンダ部７の内部空間が逐次縮小して液圧が高くなる。この状態において弁体８が下方に移動して通路口７２１を閉塞する。よってシリンダ部７は密封した状態になる。また、連動桿５が下方に移動することによって連動桿５のストッパー部５３と、ピストンブロック６の接触部６２との間に出口となる隙間６３が形成される。即ち、高圧によって液体３０が瞬時に隙間６３からガイド溝５２に流れ、さらに押し圧部１内に流入してノズル１１から噴霧される。
【００３７】
また、押し圧部１を押し圧して液体３０を噴霧する過程において、弁体８は適宜な弾性を有するため、迅速に反応して下方に移動し、通路口７２１を閉塞する。よって、好ましい上下運動の敏捷性が得られる。
【００３８】
図６に開示するように、押し圧部１の押し圧を解除すると、弾性体４の付勢力によって、押し圧管２が押し上げられて、押し圧部１と連動桿５が上方に移動して本来の位置に復帰する。よって、連動桿５のストッパー部５３と、ピストンブロック６の接触部６２との間が密封状態となる。この場合、シリンダ部７の上シリンダ室７１内の圧力が外部環境に比して低くなる。このため、容器２０内の液体３０は通路口７２１上の弁体８を押し上げて、弁体８の作用によって上シリンダ室７１内に吸入されて次の噴霧の動作を待つ状態となる。
【００３９】
また、この考案の他の実施の形態として、弁体８を球体にしてもよい。その動作の原理は上述する実施の形態と同じであるので、詳細な説明は割愛する。
【００４０】
この考案における噴霧装置は弾性体４をシリンダ部７の外部に設けるため、液体３０と直接接触することがなく、金属材との接触による液体３０の変質を防ぐことができる。
【００４１】
また、弁体８が弾性を有する螺旋状部８３を有するため、弁体８が迅速に下降して通路口７２１を閉塞するため、噴霧装置の動作の好ましい敏捷性が得られるとともに、動作の安定性が得られる。
【００４２】
さらに、噴霧装置１０をモジュール化することによって、任意の容器に用いることができ、業者にとって、在庫を減らし、かつ応用できる製品の範囲を広げることがあるため便利である。
【００４３】
以上はこの考案の好ましい実施の形態であって、この考案の実施の範囲を限定するものではない。よって、同業者のなしえる修正、訂正などであって、この考案の精神の下においてなされ、この考案に対して均等の効果を有するものは、いずれもこの考案の実用新案登録の範囲に属するものとする。
【符号の説明】
【００４４】
１０         噴霧装置
１００       噴霧装置
１０１       スプレーヘッド
１０１ａ     ノズル
１０２       接続筒体
１０３       吸引管
１０４       円錐体
１０５       ベース管
１０５a       孔部
１０６       弾性体
１０７       金属ボール
１０８       収納管
１０９       吸入管
１           押し圧部
１１         ノズル
１１１       接続管
２           押し圧管
２０         容器
２１         開口部
２２         フランジ
３           密封部
３０         液体
３１         第１当接部
３２         内径空間
３３         ばね支持部
４           弾性体
５           連動桿
５１         挿入部
５２         ガイド溝
５３         ストッパー部
６           ピストンブロック
６１         貫通孔
６２         接触部
６３         隙間
７           シリンダ部
７１         上シリンダ室
７１１       第２当接部
７２         下シリンダ室
７２１       通路栗
７２２       接続部
７２３       吸入管
８           弁体
８１         第１端部
８１１       通過孔
８２         第２端部
８２１       閉塞部
８３         螺旋状部
９           ねじ込み式キャップ
９１         ねじ山
【図１】
0003170564.tif 000003
【図２】
0003170564.tif 000004
【図３】
0003170564.tif 000005
【図４】
0003170564.tif 000006
【図５】
0003170564.tif 000007
【図６】
0003170564.tif 000008
【図７】
0003170564.tif 000009